(57)【要約】【課題】  移動通信における基地局装置のチャネルを効率良く割り当てることができる移動通信システムを提供する。【解決手段】  複数の基地局装置を備えた移動通信システムであって、各々の基地局装置の空きチャネルを定期的に検索して空きチャネル情報を取得する検索手段と、空きチャネル情報を他の基地局装置へ通知して相互の空きチャネル情報を共有する情報共有手段と、共有している空きチャネル情報に基づいて、他の基地局装置の空きチャネル情報を移動端末に対して通知する空きチャネル情報通知手段とを備える。【選択図】    図１
2005136779.tif 000002
【特許請求の範囲】
【請求項１】
複数の基地局装置を備えた移動通信システムであって、
各々の基地局装置の空きチャネルを定期的に検索して空きチャネル情報を取得する検索手段と、
前記空きチャネル情報を他の基地局装置へ通知して相互の空きチャネル情報を共有する情報共有手段と、
前記共有している空きチャネル情報に基づいて、他の基地局装置の空きチャネル情報を移動端末に対して通知する空きチャネル情報通知手段と
を備えたことを特徴とする移動通信システム。
【請求項２】
自局の各チャネル内のスロット多重処理を確立する多重処理手段を備え、
前記空きチャネル情報通知手段は、
前記検索手段による検索の結果、自局の空きチャネルがない状態で、かつ前記多重処理手段によるスロット多重化が不可能な場合に、前記共有している空きチャネル情報に基づいて、他の基地局装置の空きチャネル情報を移動端末に対して通知することを特徴とする請求項１に記載の移動通信システム。
【請求項３】
自局の各チャネル内のスロット多重処理を確立する多重処理手段を備え、
前記検索手段による検索の結果、自局の空きチャネルがない状態で、かつ前記多重処理手段によるスロット多重化が可能な場合に、他の基地局装置も含む空きチャネルが複数ある場合には、
前記移動端末は、該移動端末と前記基地局装置との間の通信状況を表す基地局情報を前記基地局装置に送信し、
前記基地局装置は該基地局情報とスロット多重する為の条件であるチャネル確立情報をもとに予め決められた優先順位に基づき、空きチャネルを選択し、前記移動端末へ通知することを特徴とする請求項１に記載の移動通信システム。
【請求項４】
空きチャネルを定期的に検索して空きチャネル情報を取得する検索手段と、
前記空きチャネル情報を他の基地局装置へ送信するともに、他の基地局装置の空きチャネル情報を受信して相互の空きチャネル情報を共有する情報共有手段と、
前記共有している空きチャネル情報に基づいて、他の基地局装置の空きチャネル情報を移動端末に対して通知する空きチャネル情報通知手段と
を備えたことを特徴とする基地局装置。
【請求項５】
自局の各チャネル内のスロット多重処理を確立する多重処理手段を備え、
前記空きチャネル情報通知手段は、
前記検索手段による検索の結果、自局の空きチャネルがない状態で、かつ前記多重処理手段によるスロット多重化が不可能な場合に、前記共有している空きチャネル情報に基づいて、他の基地局装置の空きチャネル情報を移動端末に対して通知することを特徴とする請求項４に記載の基地局装置。
【請求項６】
自局の各チャネル内のスロット多重処理を確立する多重処理手段を備え、
前記検索手段による検索の結果、自局の空きチャネルがない状態で、かつ前記多重処理手段によるスロット多重化が可能であり、他の基地局装置も含む空きチャネルが複数ある場合には、
前記移動端末から該移動端末と自局を含む基地局装置との間の通信状況を表す基地局情報を受信し、該基地局情報とスロット多重する為の条件であるチャネル確立情報をもとに予め決められた優先順位に基づき、空きチャネルを選択し、前記移動端末へ通知することを特徴とする請求項４に記載の基地局装置。
【請求項７】
複数の基地局装置を備えた移動通信システムにおける移動通信方法であって、
各々の基地局装置の空きチャネルを定期的に検索して空きチャネル情報を取得する検索過程と、
前記空きチャネル情報を他の基地局装置へ通知して相互の空きチャネル情報を共有する情報共有過程と、
前記共有している空きチャネル情報に基づいて、他の基地局装置の空きチャネル情報を移動端末に対して通知する空きチャネル情報通知過程と、
自局の各チャネル内のスロット多重処理を確立する多重処理過程を有し、
前記空きチャネル情報通知過程は、
前記検索過程による検索の結果、自局の空きチャネルがない状態で、かつ前記多重処理過程によるスロット多重化が不可能な場合に、前記共有している空きチャネル情報に基づいて、他の基地局装置の空きチャネル情報を移動端末に対して通知することを特徴とする移動通信方法。
【請求項８】
複数の基地局装置を備えた移動通信システムにおける移動通信方法であって、
各々の基地局装置の空きチャネルを定期的に検索して空きチャネル情報を取得する検索過程と、
前記空きチャネル情報を他の基地局装置へ通知して相互の空きチャネル情報を共有する情報共有過程と、
前記共有している空きチャネル情報に基づいて、他の基地局装置の空きチャネル情報を移動端末に対して通知する空きチャネル情報通知過程と、
自局の各チャネル内のスロット多重処理を確立する多重処理過程を備え、
前記検索過程による検索の結果、自局の空きチャネルがない状態で、かつ前記多重処理過程によるスロット多重化が可能な場合に、他の基地局装置も含む空きチャネルが複数ある場合には、
前記移動端末は、該移動端末と前記基地局装置との間の通信状況を表す基地局情報を前記基地局装置に送信し、
前記基地局装置は該基地局情報とスロット多重する為の条件であるチャネル確立情報をもとに予め決められた優先順位に基づき、空きチャネルを選択し、前記移動端末へ通知することを特徴とする移動通信方法。
【請求項９】
複数の基地局装置を備えた移動通信システムに用いられる移動端末であって、
各々の基地局装置の空きチャネルを定期的に検索して空きチャネル情報を取得する検索手段と、前記空きチャネル情報を他の基地局装置へ通知して相互の空きチャネル情報を共有する情報共有手段と、前記共有している空きチャネル情報に基づいて、他の基地局装置の空きチャネル情報を移動端末に対して通知する空きチャネル情報通知手段とを備えた基地局装置から通知された前記空きチャネル情報を基に、基地局装置を指定して発呼することを特徴とする移動端末。
【発明の詳細な説明】
【技術分野】
【０００１】
本発明は、移動通信における基地局装置のチャネルを効率良く割り当てることができる移動通信システムに関する。
【背景技術】
【０００２】
移動端末の発呼時において基地局より呼の確立を拒否される頻度を低減するために、移動端末に空きチャネル情報を通知し、この空きチャネル情報に基づいて移動端末が基地局に要求を行い、その後に基地局から通話チャネルの指定を行うチャネル選択方式が知られている（例えば、特許文献１参照）。これは、待ち受け中の移動局に対して、基地局のチャネル使用状況を報知しておき、発信要求に応じて空きチャネル情報を検索し、所定の条件を満たす空きチャネル情報をチャネル使用要求信号として基地局へ送信し、基地局は、その時点においても使用可能かを調べ、使用可能であれば移動局に対して通信チャネルの指定をして通信を行うものである。
【特許文献１】特開平４−２８６４３２号公報
【発明の開示】
【発明が解決しようとする課題】
【０００３】
しかしながら、特許文献１に示すチャネル選択方式にあっては、空きチャネル通知後に実際の空きチャネル捜索のネゴシエーションが必要であるという問題がある。また、基地局が複数設置されており、他の基地局に空きチャネル情報を反映して呼の確立を行うことができず空きチャネルを有効に割り当てることができないという問題もある。
【０００４】
本発明は、このような事情に鑑みてなされたもので、移動通信における基地局装置のチャネルを効率良く割り当てることができる移動通信システムを提供することを目的とする。
【課題を解決するための手段】
【０００５】
請求項１に記載の発明は、複数の基地局装置を備えた移動通信システムであって、各々の基地局装置の空きチャネルを定期的に検索して空きチャネル情報を取得する検索手段と、前記空きチャネル情報を他の基地局装置へ通知して相互の空きチャネル情報を共有する情報共有手段と、前記共有している空きチャネル情報に基づいて、他の基地局装置の空きチャネル情報を移動端末に対して通知する空きチャネル情報通知手段とを備えたことを特徴とする。
【０００６】
請求項２に記載の発明は、自局の各チャネル内のスロット多重処理を確立する多重処理手段を備え、前記空きチャネル情報通知手段は、前記検索手段による検索の結果、自局の空きチャネルがない状態で、かつ前記多重処理手段によるスロット多重化が不可能な場合に、前記共有している空きチャネル情報に基づいて、他の基地局装置の空きチャネル情報を移動端末に対して通知することを特徴とする。
【０００７】
請求項３に記載の発明は、自局の各チャネル内のスロット多重処理を確立する多重処理手段を備え、前記検索手段による検索の結果、自局の空きチャネルがない状態で、かつ前記多重処理手段によるスロット多重化が可能な場合に、他の基地局装置も含む空きチャネルが複数ある場合には、前記移動端末は、該移動端末と前記基地局装置との間の通信状況を表す基地局情報を前記基地局装置に送信し、前記基地局装置は該基地局情報とスロット多重する為の条件であるチャネル確立情報をもとに予め決められた優先順位に基づき、空きチャネルを選択し、前記移動端末へ通知することを特徴とする。
【０００８】
請求項４に記載の発明は、空きチャネルを定期的に検索して空きチャネル情報を取得する検索手段と、前記空きチャネル情報を他の基地局装置へ送信するともに、他の基地局装置の空きチャネル情報を受信して相互の空きチャネル情報を共有する情報共有手段と、前記共有している空きチャネル情報に基づいて、他の基地局装置の空きチャネル情報を移動端末に対して通知する空きチャネル情報通知手段とを備えたことを特徴とする。
【０００９】
請求項５に記載の発明は、自局の各チャネル内のスロット多重処理を確立する多重処理手段を備え、前記空きチャネル情報通知手段は、前記検索手段による検索の結果、自局の空きチャネルがない状態で、かつ前記多重処理手段によるスロット多重化が不可能な場合に、前記共有している空きチャネル情報に基づいて、他の基地局装置の空きチャネル情報を移動端末に対して通知することを特徴とする。
【００１０】
請求項６に記載の発明は、自局の各チャネル内のスロット多重処理を確立する多重処理手段を備え、前記検索手段による検索の結果、自局の空きチャネルがない状態で、かつ前記多重処理手段によるスロット多重化が可能であり、他の基地局装置も含む空きチャネルが複数ある場合には、前記移動端末から該移動端末と自局を含む基地局装置との間の通信状況を表す基地局情報を受信し、該基地局情報とスロット多重する為の条件であるチャネル確立情報をもとに予め決められた優先順位に基づき、空きチャネルを選択し、前記移動端末へ通知することを特徴とする。
【００１１】
請求項７に記載の発明は、複数の基地局装置を備えた移動通信システムにおける移動通信方法であって、各々の基地局装置の空きチャネルを定期的に検索して空きチャネル情報を取得する検索過程と、前記空きチャネル情報を他の基地局装置へ通知して相互の空きチャネル情報を共有する情報共有過程と、前記共有している空きチャネル情報に基づいて、他の基地局装置の空きチャネル情報を移動端末に対して通知する空きチャネル情報通知過程と、自局の各チャネル内のスロット多重処理を確立する多重処理過程を有し、前記空きチャネル情報通知過程は、前記検索過程による検索の結果、自局の空きチャネルがない状態で、かつ前記多重処理過程によるスロット多重化が不可能な場合に、前記共有している空きチャネル情報に基づいて、他の基地局装置の空きチャネル情報を移動端末に対して通知することを特徴とする。
【００１２】
請求項８に記載の発明は、複数の基地局装置を備えた移動通信システムにおける移動通信方法であって、各々の基地局装置の空きチャネルを定期的に検索して空きチャネル情報を取得する検索過程と、前記空きチャネル情報を他の基地局装置へ通知して相互の空きチャネル情報を共有する情報共有過程と、前記共有している空きチャネル情報に基づいて、他の基地局装置の空きチャネル情報を移動端末に対して通知する空きチャネル情報通知過程と、自局の各チャネル内のスロット多重処理を確立する多重処理過程を備え、前記検索過程による検索の結果、自局の空きチャネルがない状態で、かつ前記多重処理過程によるスロット多重化が可能な場合に、他の基地局装置も含む空きチャネルが複数ある場合には、前記移動端末は、該移動端末と前記基地局装置との間の通信状況を表す基地局情報を前記基地局装置に送信し、前記基地局装置は該基地局情報とスロット多重する為の条件であるチャネル確立情報をもとに予め決められた優先順位に基づき、空きチャネルを選択し、前記移動端末へ通知することを特徴とする。
【００１３】
請求項９に記載の発明は、複数の基地局装置を備えた移動通信システムに用いられる移動端末であって、各々の基地局装置の空きチャネルを定期的に検索して空きチャネル情報を取得する検索手段と、前記空きチャネル情報を他の基地局装置へ通知して相互の空きチャネル情報を共有する情報共有手段と、前記共有している空きチャネル情報に基づいて、他の基地局装置の空きチャネル情報を移動端末に対して通知する空きチャネル情報通知手段とを備えた基地局装置から通知された前記空きチャネル情報を基に、基地局装置を指定して発呼することを特徴とする。
【発明の効果】
【００１４】
この発明によれば、空きチャネルを有している基地局装置の空きチャネル情報を移動端末に対して通知するようにしたため、移動端末から要求した呼の確立要求を最初に受信した基地局装置に空きチャネルがない場合であっても、他の基地局装置に空きチャネルがあれば呼の確立を行うことが可能となるため、移動端末の呼損を低減することができるとともに、空きチャネルの割当てを効率良く行うことができるとともに、チャネル確立情報や基地局情報を用いて、使用するチャネルを決定するようにしたため、更にチャネル割当てを効率良く行うことができ、空きチャネルの有効利用を図ることができるという効果が得られる。
【発明を実施するための最良の形態】
【００１５】
以下、本発明の一実施形態による移動通信システムを図面を参照して説明する。図１は同実施形態における基地局装置の構成を示すブロック図である。この図において、符号１は、移動端末との間で無線通信を行う送受信部である。符号２は、送受信する信号に対して変調等の信号処理を施す信号処理部である。符号３は、基地局装置を交換網に接続するための交換網接続部である。符号４は、自局の各チャネルのスロットを多重化（ＳＤＭＡ）する処理を行うスロット多重処理部である。ここで、スロット多重化とは、同じ周波数、同じタイミングで２つの呼を収容することをいう。符号５は、自局内の信号処理部２の状況を定期的に監視することにより空きチャネルを検索して、空きチャネル情報を出力する空きチャネル検索部である。符号６は、空きチャネル検索部５より出力される空きチャネル情報を他の基地局装置に対して送信する空きチャネル情報送信部である。
【００１６】
符号７は、空きチャネル検索部５において検索した空きチャネルに関する情報を記憶する自局空きチャネル情報テーブルであり、空きチャネル検索部５により定期的に内容が更新される。符号８は、他の基地局装置から送信された空きチャネル情報を受信する空きチャネル情報受信部である。符号９は、空きチャネル情報受信部８が受信した他の基地局装置の空きチャネル情報を記憶する他局空きチャネル情報テーブルであり、空きチャネル情報受信部８により定期的に内容が更新される。符号１０は、自局空きチャネル情報テーブル７及び他局空きチャネル情報テーブル９を参照し、移動端末に対して、現時点で空きチャネルとなっているチャネルの情報を通知する空きチャネル情報通知部である。符号１１は、自局空きチャネル情報テーブル７及び他局空きチャネル情報テーブル９を参照した結果、複数の空きチャネルがある場合に、この空きチャネルの中から１つのチャネルを選択するために、予め選択の優先順位が定義された優先順位定義テーブルである。
【００１７】
ここで、図７を参照して、移動通信システム全体の構成例を説明する。ここでは、３つの基地局装置ＢＳ１、ＢＳ２、ＢＳ３が設置されており、移動端末Ｔがこれらの３つの基地局装置のいずれかと通信可能であるものとする。図６に示す３つの基地局装置ＢＳ１、ＢＳ２、ＢＳ３は、それぞれ図１に示す構成を備えている。基地局装置ＢＳ１を自局とすると、この基地局装置ＢＳ１内の自局空きチャネル情報テーブル７には、基地局装置ＢＳ１の空きチャネル情報が記憶されることとなる。また、基地局装置ＢＳ１内の他局空きチャネル情報テーブル９には、基地局装置ＢＳ２、ＢＳ３（これらを他局という）の空きチャネル情報が記憶されることとなる。ここでは、３つの基地局装置のみを図示したが、基地局装置の数は「３」に限るものではなく、２つまたは４つ以上の基地局装置が設置されていてもよい。
【００１８】
次に、図２を参照して、図１に示す基地局装置が自局内の自局空きチャネル情報テーブル７及び他局空きチャネル情報テーブル９の記憶内容を更新する動作を説明する。
まず、空きチャネル検索部５は、一定時間間隔毎に、信号処理部２の処理状況から自局内の空きチャネルを検索する（ステップＳ１）。そして、空きチャネル検索部５は、検索して得られた空きチャネルに関する情報を、空きチャネル情報送信部６へ通知する。これを受けて、空きチャネル情報送信部６は、空きチャネル検索部５から通知された空きチャネルに関する情報に基づき、空きチャネル情報を生成する。ここでいう空きチャネル情報とは、現時点で空いているチャネルの識別番号と自局の基地局装置の識別番号とを関連付け、空きチャネル情報であることを識別することが可能なヘッダ情報を付加した情報である。空いているチャネルが複数ある場合は、チャネルの識別番号と自局の基地局装置の識別番号と関連付けた情報を空いているチャネルの数だけ生成する。一方、空いているチャネルが全くない場合は、空きチャネルがないことを識別できる情報と自局の基地局装置の識別番号と関連付けた情報を生成する。
【００１９】
続いて、空きチャネル情報送信部６は、信号処理部２を介して、生成した空きチャネル情報を送信する（ステップＳ２）。この空きチャネル情報は、ＩＳＤＮまたは専用通信回線等の交換網を介して、基地局間同士でやり取りされる。
【００２０】
次に、空きチャネル検索部５は、空きチャネル情報送信部６へ空きチャネルを通知したと同時に検索して得られた空きチャネルに関する情報を自局空きチャネル情報テーブルに７へ記憶する（ステップＳ３）。これにより、自局空きチャネル情報テーブル７には、現時点の空きチャネルの識別番号が新たに記憶され、自局空きチャネル情報テーブル７は更新されることとなる。
【００２１】
次に、空きチャネル情報受信部８は、信号処理部２を介して、他の基地局装置がステップＳ２において送信した空きチャネル情報を受信する（ステップＳ４）。そして、空きチャネル情報受信部８は、受信した空きチャネル情報を他局空きチャネル情報テーブル９へ記憶する（ステップＳ５）。これにより、他局空きチャネル情報テーブル９には、現時点の他局の空きチャネルの識別番号が新たに記憶され、他局空きチャネル情報テーブル９は更新されることとなる。
【００２２】
このように、一定時間間隔毎に、自局と他局の空きチャネル情報を取得し、取得した空きチャネル情報に基づいて、自局空きチャネル情報テーブル７及び他局空きチャネル情報テーブル９の記憶内容が一定時間間隔毎に更新されることとなる。
【００２３】
次に、図３を参照して、スロット多重化を使用せずに移動端末Ｔに対してチャネルを割り当てる動作を説明する。
まず、基地局装置ＢＳ１は、空きチャネル情報を収集する（図２に示すステップＳ１〜Ｓ５）。そして、信号処理部２は、移動端末Ｔから自局（基地局装置ＢＳ１）に対して、リンクチャネル確立要求があったか否かを判定する（ステップＳ６）。そして、移動端末Ｔからリンクチャネル確立要求が無ければ、ステップＳ１〜Ｓ５の処理を繰り返し行い、自局空きチャネル情報テーブル７及び他局空きチャネル情報テーブル９の記憶内容を一定時間間隔毎に更新する。一方、移動端末Ｔからリンクチャネル確立要求が有れば、信号処理部２は、空きチャネル情報通知部１０に対して、空きチャネル情報の通知を依頼する。
【００２４】
空きチャネル情報通知部１０は、自局空きチャネル情報テーブル７を参照して、自局の空きチャネルの有無を判定する（ステップＳ７）。この結果、空きチャネルがあれば、空きチャネル情報通知部１０は、空いているチャネルの識別番号を信号処理部２へ通知する。これを受けて、信号処理部２は、通知されたチャネル識別番号のチャネルをリンクチャネルとして移動端末Ｔに対して割り当てる（ステップＳ８）。これを受けて、移動端末Ｔは、通知されたチャネルを使用して呼の設定を行う。
【００２５】
一方、空きチャネル情報通知部１０は、自局の空きチャネルがない場合、他局空きチャネル情報テーブル９を参照して、他局の空きチャネル情報を検索し（ステップＳ９）、他局の空きチャネルの有無を判定する（ステップＳ１０）。この結果、空きチャネルを有する基地局装置が無ければ、空きチャネル情報通知部１０は、空きチャネルが無いことを信号処理部２へ通知する。これを受けて、信号処理部２は、移動端末Ｔに対してリンクチャネル割当て拒否を通知する（ステップＳ１１）。
【００２６】
また、空きチャネルを有する基地局装置が有れば、空きチャネル情報通知部１０は、空いているチャネルを有している基地局装置の識別番号と空きチャネルの識別番号を信号処理部２へ通知する。このとき、空きチャネル情報通知部１０は、空きチャネルが複数の基地局装置において存在した場合、優先順位定義テーブル１１を参照して、空きチャネルの選択を行う。優先順位定義テーブル１１には、予め自局に対して物理的な距離が近い基地局装置の順番等が定義されている。続いて、信号処理部２は、通知された基地局装置の識別番号と空きチャネルの識別番号を含む基地局指定発呼指示を移動端末Ｔに対して送出する（ステップＳ１２）。これを受けて、移動端末Ｔは、通知されたチャネルを使用して呼の設定を行う。
【００２７】
次に、図４を参照して、スロット多重処理部４によりスロット多重処理を使用して移動端末Ｔに対してチャネルを割り当てる動作を説明する。
まず、基地局装置ＢＳ１は、空きチャネル情報を収集する（図２に示すステップＳ１〜Ｓ５）。そして、信号処理部２は、移動端末Ｔから自局（基地局装置ＢＳ１）に対して、リンクチャネル確立要求があったか否かを判定する（ステップＳ２１）。そして、移動端末Ｔからリンクチャネル確立要求が無ければ、ステップＳ１〜Ｓ５の処理を繰り返し行い、自局空きチャネル情報テーブル７及び他局空きチャネル情報テーブル９の記憶内容を一定時間間隔毎に更新する。一方、移動端末Ｔからリンクチャネル確立要求が有れば、信号処理部２は、空きチャネル情報通知部１０に対して、空きチャネル情報の通知を依頼する。
【００２８】
空きチャネル情報通知部１０は、自局空きチャネル情報テーブル７を参照して、自局の空きチャネルの有無を判定する（ステップＳ２２）。この結果、空きチャネルがあれば、空きチャネル情報通知部１０は、空いているチャネルの識別番号を信号処理部２へ通知する。これを受けて、信号処理部２は、通知されたチャネル識別番号のチャネルをリンクチャネルとして移動端末Ｔに対して割り当てる（ステップＳ２５）。これを受けて、移動端末Ｔは、通知されたチャネルを使用して呼の設定を行う。
【００２９】
一方、空きチャネル情報通知部１０は、自局の空きチャネルがない場合、自局の空きチャネルが無いことを信号処理部２へ通知する。これを受けて、信号処理部２は、スロット多重処理部４に対して、スロット多重処理の確立を依頼する。これを受けて、スロット多重処理部４は、自局の各チャネルのスロットに対して多重処理を確立することができるか否かを判定する（ステップＳ２３）。この結果、スロット多重処理が可能であれば、スロット多重処理部４は、スロット多重処理を実行し（ステップＳ２４）、この多重処理によって得られたチャネルを信号処理部２へ通知する。これを受けて、信号処理部２は、通知された多重化処理によるチャネルをリンクチャネルとして移動端末Ｔに対して割り当てる（ステップＳ２５）。これを受けて、移動端末Ｔは、通知されたチャネルを使用して呼の設定を行う。
【００３０】
次に、自局の各チャネルのスロットに対して多重処理を確立することができない場合、スロット多重処理部４は、スロット多重処理ができないことを信号処理部２へ通知する。これを受けて、信号処理部２は、空きチャネル情報通知部１０に対して、他局の空きチャネル情報の通知を依頼する。続いて、空きチャネル情報通知部１０は、他局空きチャネル情報テーブル９を参照して、他局の空きチャネル情報を検索し（ステップＳ２６）、他局の空きチャネルの有無を判定する（ステップＳ２７）。この結果、空きチャネルを有する基地局装置が無ければ、空きチャネル情報通知部１０は、空きチャネルが無いことを信号処理部２へ通知する。これを受けて、信号処理部２は、移動端末Ｔに対してリンクチャネル割当て拒否を通知する（ステップＳ２８）。
【００３１】
また、空きチャネルを有する基地局装置が有れば、空きチャネル情報通知部１０は、空いているチャネルを有している基地局装置の識別番号と空きチャネルの識別番号を信号処理部２へ通知する。このとき、空きチャネル情報通知部１０は、空きチャネルが複数の基地局装置において存在した場合、優先順位定義テーブル１１を参照して、空きチャネルの選択を行う。続いて、信号処理部２は、通知された基地局装置の識別番号と空きチャネルの識別番号を含む基地局指定発呼指示を移動端末Ｔに対して送出する（ステップＳ２９）。これを受けて、移動端末Ｔは、通知されたチャネルを使用して呼の設定を行う。
【００３２】
次に、図５を参照して、スロット多重処理中における移動端末Ｔに対するチャネルを割り当てを行う動作を説明する。
まず、スロット多重処理部４は、スロット多重処理中に信号処理部２よりチャネル確立情報である多重スロット確立状態の情報を収集する（ステップＳ３１）。ここで収集する情報は、受信レベル、多重化対象チャネルとの相関、フレームエラーレート、位相等の情報である。続いて、スロット多重処理部４は、収集した確立状態値と予め決められているしきい値とを比較し、スロット多重の維持が可能か否かを判定する（ステップＳ３２）。この結果、維持可能で有れば、情報収集処理を繰り返しながら、スロット多重化処理を続行する。
【００３３】
一方、スロット多重処理を維持できないと判定された場合、スロット多重処理部４は、自局内の他のスロット多重処理が可能か否かを判定する（ステップＳ３３）。この結果、可能であれば、スロット多重処理部４は、さらにスロット再多重確立が可能か否かを判定する（ステップＳ３４）。この結果、スロット再多重処理が可能と判定された場合、スロット多重処理部４は、信号処理部２に対して、チャネルの切り替えを指示する（ステップＳ３５）。これにより、信号処理部２において、チャネル切り替え処理が実行され、スロット多重処理が続行する（ステップＳ３６）。
【００３４】
ステップＳ３３において自局の他スロットに対して多重化処理ができない場合と、ステップＳ３４においてスロット再多重確立ができない場合は、信号処理部２は、空きチャネル情報通知部１０に対して、他局の空きチャネル情報の通知を依頼する。これを受けて、空きチャネル情報通知部１０は、他局空きチャネル情報テーブル９を参照して、他局の空きチャネル情報を検索し（ステップＳ３６）、他局の空きチャネルの有無を判定する（ステップＳ３７）。この結果、空きチャネルを有する基地局装置が無ければ、空きチャネル情報通知部１０は、空きチャネルが無いことを信号処理部２へ通知する。これを受けて、信号処理部２は、他局の空きチャネルがないことをスロット多重処理部４へ通知する。スロット多重処理部４は、ステップＳ３３の処理を再度実行し、処理を繰り返す。
【００３５】
一方、空きチャネルを有する基地局装置が有れば、空きチャネル情報通知部１０は、空いているチャネルを有している基地局装置の識別番号と空きチャネルの識別番号を信号処理部２へ通知する。このとき、空きチャネル情報通知部１０は、空きチャネルが複数の基地局装置において存在した場合、優先順位定義テーブル１１を参照して、空きチャネルの選択を行う。続いて、信号処理部２は、通知された基地局装置の識別番号と空きチャネルの識別番号を含む基地局指定付きのハンドオーバ指示を移動端末Ｔに対して送出する（ステップＳ３８）。これを受けて、移動端末Ｔは、通知されたチャネルを使用してハンドオーバを行う。
【００３６】
次に、図６を参照して、空きチャネルが複数ある場合に、チャネル確立情報と基地局情報とに基づいて、チャネルを選択し、移動端末へ通知する動作を説明する。
まず、基地局装置ＢＳ１は、空きチャネル情報を収集する（図２に示すステップＳ１〜Ｓ５）。そして、信号処理部２は、移動端末Ｔから自局（基地局装置ＢＳ１）に対して、リンクチャネル確立要求があったか否かを判定する（ステップＳ４２）。そして、移動端末Ｔからリンクチャネル確立要求が無ければ、ステップＳ１〜Ｓ５の処理を繰り返し行い、自局空きチャネル情報テーブル７及び他局空きチャネル情報テーブル９の記憶内容を一定時間間隔毎に更新する。一方、移動端末Ｔからリンクチャネル確立要求が有れば、信号処理部２は、空きチャネル情報通知部１０に対して、空きチャネル情報の通知を依頼する。
【００３７】
空きチャネル情報通知部１０は、自局空きチャネル情報テーブル７を参照して、自局の空きチャネルの有無を判定する（ステップＳ４３）。この結果、空きチャネルがあれば、空きチャネル情報通知部１０は、空いているチャネルの識別番号を信号処理部２へ通知する。これを受けて、信号処理部２は、通知されたチャネル識別番号のチャネルをリンクチャネルとして移動端末Ｔに対して割り当てる（ステップＳ５１）。これを受けて、移動端末Ｔは、通知されたチャネルを使用して呼の設定を行う。
【００３８】
一方、空きチャネル情報通知部１０は、自局の空きチャネルがない場合、自局の空きチャネルが無いことを信号処理部２へ通知する。これを受けて、信号処理部２は、スロット多重処理部４に対して、スロット多重処理の確立を依頼する。これを受けて、スロット多重処理部４は、自局の各チャネルのスロットに対して多重処理を確立することができるか否かを判定する（ステップＳ４４）。この結果、スロット多重処理が可能であれば、信号処理部２は、空きチャネル情報通知部１０に対して、他局の空きチャネル情報の通知を依頼する。続いて、空きチャネル情報通知部１０は、他局空きチャネル情報テーブル９を参照して、他局の空きチャネル情報を検索し（ステップＳ４５）、他局の空きチャネルの有無を判定する（ステップＳ４６）。この検索の結果、他局に空きチャネルが無ければ、信号処理部２は、スロット多重処理部４へ他局に空きチャネルがないことを通知する。これを受けて、スロット多重処理部４は、スロット多重処理を実行し（ステップＳ５０）、この多重処理によって得られたチャネルを信号処理部２へ通知する。これを受けて、信号処理部２は、通知された多重化処理によるチャネルをリンクチャネルとして移動端末Ｔに対して割り当てる（ステップＳ５１）。これを受けて、移動端末Ｔは、通知されたチャネルを使用して呼の設定を行う。
【００３９】
次に、他局の空きチャネルがある場合、信号処理部２は、移動端末Ｔに対して、基地局情報の要求を送信する（ステップＳ４７）。そして、信号処理部２は、この要求に対して移動端末Ｔが送信した基地局情報を受信する。ここでいう基地局情報とは、基地局装置ＢＳ１、ＢＳ２、ＢＳ３のそれぞれが送信した情報を移動端末Ｔが受信した場合のフレームエラーレート及び受信レベルである。続いて、信号処理部２は、スロット多重処理を行おうとするチャネルのチャネル確立情報を取得する。このチャネル確立情報とは、受信レベル、多重化対象チャネルとの相関、フレームエラーレート、位相等の情報である。そして、信号処理部２は、取得したチャネル確立情報と基地局情報を点数化する（ステップＳ４８）。
【００４０】
基地局情報の点数化は、例えば、受信レベル７０ｄＢ＝５点、４０ｄＢ＝３点、…、フレームエラーレート０％＝５点、３０％＝２点、…というように、予め各情報の項目毎に点数が決められており、取得した情報に対して、該当する点数を与え、合計値を求めることにより行う。また、チャネル確立情報についても各情報の項目毎（受信レベル、多重化対象チャネルとの相関、フレームエラーレート、位相等）に予め各情報の項目毎に点数が決められており、取得した情報に対して、該当する点数を与え、合計値を求めることにより行う。これにより、スロット多重化可能なチャネルのチャネル確立情報と移動端末Ｔから取得した基地局情報について点数化が行われたこととなる。
【００４１】
次に、信号処理部２は、チャネル確立情報のポイント（点数化の点数）と基地局情報のポイント（点数化の点数）の大小比較を行う（ステップＳ４９）。このとき、信号処理部２は、スロット多重化処理が可能な全てのチャネルのチャネル確立情報のポイントのうちポイントが最も高いチャネルのチャネル確立情報のポイントと、移動端末Ｔから取得した全ての基地局情報のポイントのうちポイントが最も高いチャネルの基地局情報のポイントとの大小比較を行う。この大小比較の結果、チャネル確立情報のポイントが基地局情報のポイントより大きい場合、信号処理部２は、スロット多重処理部４へスロット多重処理を依頼する。これを受けて、スロット多重処理部４は、スロット多重処理を実行し（ステップＳ５０）、この多重処理によって得られたチャネルを信号処理部２へ通知する。これを受けて、信号処理部２は、通知された多重化処理によるチャネルをリンクチャネルとして移動端末Ｔに対して割り当てる（ステップＳ５１）。これを受けて、移動端末Ｔは、通知されたチャネルを使用して呼の設定を行う。
【００４２】
一方、大小比較の結果、チャネル確立情報のポイントが基地局情報のポイントより小さい場合、信号処理部２は、移動端末Ｔから取得した全ての基地局情報のポイントのうちポイントが最も高いチャネルの識別番号と基地局装置の識別番号を含む基地局指定発呼指示を移動端末Ｔに対して送出する（ステップＳ５４）。これを受けて、移動端末Ｔは、通知されたチャネルを使用して呼の設定を行う。
【００４３】
次に、自局の各チャネルのスロットに対して多重処理を確立することができない場合、スロット多重処理部４は、スロット多重処理ができないことを信号処理部２へ通知する。これを受けて、信号処理部２は、空きチャネル情報通知部１０に対して、他局の空きチャネル情報の通知を依頼する。続いて、空きチャネル情報通知部１０は、他局空きチャネル情報テーブル９を参照して、他局の空きチャネル情報を検索し（ステップＳ５２）、他局の空きチャネルの有無を判定する（ステップＳ５３）。この結果、空きチャネルを有する基地局装置が無ければ、空きチャネル情報通知部１０は、空きチャネルが無いことを信号処理部２へ通知する。これを受けて、信号処理部２は、移動端末Ｔに対してリンクチャネル割当て拒否を通知する（ステップＳ５５）。
【００４４】
また、空きチャネルを有する基地局装置が有れば、空きチャネル情報通知部１０は、空いているチャネルを有している基地局装置の識別番号と空きチャネルの識別番号を信号処理部２へ通知する。続いて、信号処理部２は、通知された基地局装置の識別番号と空きチャネルの識別番号を含む基地局指定発呼指示を移動端末Ｔに対して送出する（ステップＳ５４）。これを受けて、移動端末Ｔは、通知されたチャネルを使用して呼の設定を行う。
【００４５】
このように、自局内に空きチャネルがない場合に、他局の空きチャネルを移動端末Ｔに対して通知するようにしたため、移動端末Ｔに対して、効率的なチャネル割当てが可能となり、呼の設定をできる確率を向上させることができる。
【００４６】
なお、移動端末Ｔは、各基地局ＢＳ１、ＢＳ２、ＢＳ３の受信レベルやフレームエラーレートなどの基地局情報を定期的に取得する基地局情報手段とこの基地局情報を記憶しておく基地局情報記憶手段を備え、図３または図４に示す動作中のリンク確立要求時において記憶しておいた基地局情報をリンク確立要求する基地局装置に対して送信し、リンク確立要求を受信した基地局装置は、受信した基地局情報を参照して、移動端末Ｔがリンクを確立する基地局装置を指定して発呼するよう移動端末Ｔに対して指示するようにしてもよい。
また、空きチャネル情報は、専用のチャネルを用いることにより、各基地局装置間において送受信するようにしてもよい。
【００４７】
また、図１における処理部の機能を実現するためのプログラムをコンピュータ読み取り可能な記録媒体に記録して、この記録媒体に記録されたプログラムをコンピュータシステムに読み込ませ、実行することによりチャネル割当て処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４９】
【図１】本発明の一実施形態における基地局装置の構成を示すブロック図である。
【図２】図１に示す基地局装置の動作を示すフローチャートである。
【図３】図１に示す基地局装置の動作を示すフローチャートである。
【図４】図１に示す基地局装置の動作を示すフローチャートである。
【図５】図１に示す基地局装置の動作を示すフローチャートである。
【図６】図１に示す基地局装置の動作を示すフローチャートである。
【図７】移動通信システム全体の構成例を示すブロック図である。
【符号の説明】
【００５０】
１・・・送受信部
２・・・信号処理部
３・・・交換網接続部
４・・・スロット多重処理部
５・・・空きチャネル検索部
６・・・空きチャネル情報送信部
７・・・自局空きチャネル情報テーブル
８・・・空きチャネル情報受信部
９・・・他局空きチャネル情報テーブル
１０・・・空きチャネル情報通知部
１１・・・優先順位定義テーブル
ＢＳ１〜ＢＳ３・・・基地局装置
Ｔ・・・移動端末
【図１】
2005136779.tif 000003
【図２】
2005136779.tif 000004
【図３】
2005136779.tif 000005
【図４】
2005136779.tif 000006
【図５】
2005136779.tif 000007
【図６】
2005136779.tif 000008
【図７】
2005136779.tif 000009